(57)【要約】【課題】  レジスト膜（感光性樹脂膜）が表面部に形成された露光対象物が大型フォトマスク等のように大型のものである場合においても、生産性が低下することなく、かつ、微小エリアにおけるレジスト膜の膜厚変動に対しても最適な露光量が設定され、微細なパターンを含む描画パターンについてもレジスト膜の膜厚変化に影響されずに良好な描画パターンの描画を行うことができるレーザ描画装置を提供する。【解決手段】  露光対象物１０１に露光用光束を照射する描画ヘッド１と、露光対象物１０１上における露光用光束Ｒの照射位置を移動させる走査手段５と、露光対象物１０１からの露光用光束Ｒの反射光束に基づいてレジスト膜１０２の膜厚を測定する膜厚測定手段２４と、予め設定された描画パターン及び膜厚測定手段２４による測定結果に基づいて露光用光束の強度を変調させる変調手段４とを備えている。【選択図】  図１
2005292271.tif 000002
【特許請求の範囲】
【請求項１】
表面部にレジスト膜が形成された露光対象物に露光用光束を照射する描画ヘッドと、
前記露光対象物上における前記露光用光束の照射位置を移動させる走査手段と、
前記露光用光束の強度を変調させる変調手段と、
前記露光対象物からの前記露光用光束の反射光束に基づいて、前記レジスト膜の膜厚を測定する膜厚測定手段と
を備え、
前記変調手段は、予め設定された描画パターン及び前記膜厚測定手段による測定結果に基づいて、前記露光用光束の強度を変調させる
ことを特徴とするレーザ描画装置。
【請求項２】
表面部にレジスト膜が形成された露光対象物に露光用光束を照射する描画ヘッドと、
前記露光対象物に膜厚測定用光束を照射する光学ヘッドと、
前記露光対象物上における前記露光用光束及び前記膜厚測定用光束の照射位置を移動させる走査手段と、
前記露光用光束の強度を変調させる変調手段と、
前記露光対象物からの前記膜厚測定用光束の反射光束に基づいて、前記レジスト膜の膜厚を測定する膜厚測定手段と
を備え、
前記膜厚測定用光束は、前記露光対象物において前記露光用光束が照射される位置に、この露光用光束に先行して照射され、
前記変調手段は、予め設定された描画パターン及び前記膜厚測定手段による測定結果に基づいて、前記露光用光束の強度を変調させる
ことを特徴とするレーザ描画装置。
【請求項３】
前記露光対象物上における前記露光用光束の照射位置と、前記露光対象物上における前記膜厚測定用光束の照射位置との間隔は、１０ｍｍ以下となされている
ことを特徴とする請求項２記載のレーザ描画装置。
【請求項４】
表面部にレジスト膜が形成された露光対象物に描画ヘッドにより露光用光束を照射し、
前記露光対象物上における前記露光用光束の照射位置を移動させ、
前記露光対象物からの前記露光用光束の反射光束に基づいて、前記レジスト膜の膜厚を測定し、
予め設定された描画パターン及び前記レジスト膜の膜厚の測定結果に基づいて、前記露光用光束の強度を変調させる
ことを特徴とするレーザ描画方法。
【請求項５】
表面部にレジスト膜が形成された露光対象物に描画ヘッドにより露光用光束を照射するとともに、前記露光対象物に膜厚測定用光束を照射し、
前記露光対象物上において、前記膜厚測定用光束が、前記露光用光束が照射される位置にこの露光用光束に先行して照射されるように、前記露光対象物上における前記露光用光束及び前記膜厚測定用光束の照射位置を移動させ、
前記露光対象物からの前記膜厚測定用光束の反射光束に基づいて、前記レジスト膜の膜厚を測定し、
予め設定された描画パターン及び前記レジスト膜の膜厚の測定結果に基づいて、前記露光用光束の強度を変調させる
ことを特徴とするレーザ描画方法。
【請求項６】
表面部にレジスト膜を有するフォトマスクブランクに描画ヘッドにより露光用光束を照射し、
前記フォトマスクブランク上における前記露光用光束の照射位置を移動させ、
前記フォトマスクブランクからの前記露光用光束の反射光束に基づいて、前記レジスト膜の膜厚を測定し、
予め設定された描画パターン及び前記レジスト膜の膜厚の測定結果に基づいて、前記露光用光束の強度を変調させる
ことを特徴とするフォトマスクの製造方法。
【請求項７】
表面部にレジスト膜を有するフォトマスクブランクに描画ヘッドにより露光用光束を照射するとともに、前記フォトマスクブランクに膜厚測定用光束を照射し、
前記フォトマスクブランク上において、前記膜厚測定用光束が、前記露光用光束が照射される位置にこの露光用光束に先行して照射されるように、前記フォトマスクブランク上における前記露光用光束及び前記膜厚測定用光束の照射位置を移動させ、
前記フォトマスクブランクからの前記膜厚測定用光束の反射光束に基づいて、前記レジスト膜の膜厚を測定し、
予め設定された描画パターン及び前記レジスト膜の膜厚の測定結果に基づいて、前記露光用光束の強度を変調させる
ことを特徴とするフォトマスクの製造方法。
【発明の詳細な説明】
【技術分野】
【０００１】
本発明は、半導体ウェハ、液晶表示装置（ＬＣＤ）用またはフォトマスク用の基板、光ディスク用基板等の如きレジスト膜（感光性樹脂膜）が表面部に形成された露光対象物に露光用光束を照射して所定の描画パターンを描画するレーザ描画装置、レーザ描画方法及びフォトマスクの製造方法に関する。
【背景技術】
【０００２】
従来、半導体ウェハ、液晶表示装置（ＬＣＤ）用またはフォトマスク用の基板、光ディスク用基板等の如きレジスト膜（感光性樹脂膜）が表面部に形成された露光対象物に所定の描画パターンを描画するためのレーザ描画装置が提案されている。
【０００３】
そして、特許文献１には、大型フォトマスク等の基板にレーザ描画装置を用いて所定の描画パターンを描画するにあたって、描画パターンに発生するであろう歪みを予期するための情報を予め収集し、この情報に基づいて歪みを予測したうえで、この歪みを減らすための補正マップを作成し、この補正マップに基づいてパターン描画を行うようにしたレーザ描画装置が開示されている。
【０００４】
このレーザ描画装置において、描画パターンに発生する歪みを予期するための情報としては、レジスト膜の厚さのばらつきが収集される。レジスト膜の厚さのばらつきの測定は、接触式の膜厚測定機を用いて行われる。レジスト膜の厚さのばらつきの情報は、ダミー基板に対してレジストを塗布し、このダミー基板における複数箇所において、接触式の膜厚測定機によりレジスト膜の膜厚の測定を行うことによって収集される。
【０００５】
ここで、レジスト膜の膜厚のばらつきが特定のレンジを超えた場合には、レジストコータ（レジスト塗布装置）を調整し、塗布条件を変更して、再びダミー基板に対してレジストを塗布し、膜厚のばらつきが特定のレンジ内に収まるようにする。
【０００６】
そして、補正マップとしては、描画パターンの各所におけるレジスト膜の厚さのばらつきの情報に応じて、描画パターンにおける線幅を補正するため、描画パターンの各所における露光量（ドーズ量）の補正量を定めたものが作成される。
【０００７】
実際に露光を行う基板に対しては、ダミー基板と同様の条件によってレジストを塗布し、補正マップに基づいて、露光量（ドーズ量）を補正しながら、所定の描画パターンに対応した露光を行う。
【０００８】
【特許文献１】特表２００３−５００８４７公報
【発明の開示】
【発明が解決しようとする課題】
【０００９】
ところで、上述のようなレーザ描画装置においては、実際に露光を行う基板とは別に、ダミー基板にレジストを塗布してレジスト膜の膜厚を測定しなければならず、その分、生産性が低下することとなる。特に、四角形基板のうち少なくとも一辺が３００ｍｍ以上の大型フォトマスクについては、このフォトマスクの全面についてレジスト膜の膜厚の測定を行うことは、生産性を著しく低下させることとなる。
【００１０】
しかしながら、ダミー基板における数個所のみについてしかレジスト膜の膜厚測定を行わないとすると、露光量の補正の精度が低下することとなってしまう。この場合には、微小エリアにおけるレジスト膜の膜厚変動に対して最適な露光量が設定されず、微細なパターンを含む描画パターンについては、レジスト膜の膜厚変化に影響されて品質劣化が生ずることとなる。
【００１１】
そこで、本発明は、上述の実情に鑑みて提案されるものであって、レジスト膜（感光性樹脂膜）が表面部に形成された露光対象物が大型フォトマスク等のように大型のものである場合においても、生産性が低下することなく、かつ、微小エリアにおけるレジスト膜の膜厚変動に対しても最適な露光量が設定され、微細なパターンを含む描画パターンについてもレジスト膜の膜厚変化に影響されずに良好な描画パターンの描画を行うことができるレーザ描画装置、レーザ描画方法及びフォトマスクの製造方法を提供しようとするものである。
【課題を解決するための手段】
【００１２】
上述の課題を解決するため、本発明に係る本発明に係るレーザ描画装置は、以下の構成を備える。
【００１３】
〔構成１〕
本発明に係るレーザ描画装置は、表面部にレジスト膜が形成された露光対象物に露光用光束を照射する描画ヘッドと、露光対象物上における露光用光束の照射位置を移動させる走査手段と、露光用光束の強度を変調させる変調手段と、露光対象物からの露光用光束の反射光束に基づいてレジスト膜の膜厚を測定する膜厚測定手段とを備え、変調手段は、予め設定された描画パターン及び膜厚測定手段による測定結果に基づいて、露光用光束の強度を変調させることを特徴とするものである。
【００１４】
〔構成２〕
本発明に係るレーザ描画装置は、表面部にレジスト膜が形成された露光対象物に露光用光束を照射する描画ヘッドと、露光対象物に膜厚測定用光束を照射する光学ヘッドと、露光対象物上における露光用光束及び膜厚測定用光束の照射位置を移動させる走査手段と、露光用光束の強度を変調させる変調手段と、露光対象物からの膜厚測定用光束の反射光束に基づいてレジスト膜の膜厚を測定する膜厚測定手段とを備え、膜厚測定用光束は、露光対象物において露光用光束が照射される位置にこの露光用光束に先行して照射され、変調手段は、予め設定された描画パターン及び膜厚測定手段による測定結果に基づいて、露光用光束の強度を変調させることを特徴とするものである。
【００１５】
〔構成３〕
本発明は、構成２記載のレーザ描画装置において、露光対象物上における露光用光束の照射位置と、露光対象物上における膜厚測定用光束の照射位置との間隔は、１０ｍｍ以下となされていることを特徴とするものである。
【００１６】
〔構成４〕
本発明に係るレーザ描画方法は、表面部にレジスト膜が形成された露光対象物に描画ヘッドにより露光用光束を照射し、露光対象物上における露光用光束の照射位置を移動させ、露光対象物からの露光用光束の反射光束に基づいてレジスト膜の膜厚を測定し、予め設定された描画パターン及びレジスト膜の膜厚の測定結果に基づいて露光用光束の強度を変調させることを特徴とするものである。
【００１７】
〔構成５〕
本発明に係るレーザ描画方法は、表面部にレジスト膜が形成された露光対象物に描画ヘッドにより露光用光束を照射するとともに、露光対象物に膜厚測定用光束を照射し、露光対象物上において膜厚測定用光束が露光用光束が照射される位置にこの露光用光束に先行して照射されるように露光対象物上における露光用光束及び膜厚測定用光束の照射位置を移動させ、露光対象物からの膜厚測定用光束の反射光束に基づいてレジスト膜の膜厚を測定し、予め設定された描画パターン及びレジスト膜の膜厚の測定結果に基づいて露光用光束の強度を変調させることを特徴とするものである。
【００１８】
〔構成６〕
本発明に係るフォトマスクの製造方法は、表面部にレジスト膜を有するフォトマスクブランクに描画ヘッドにより露光用光束を照射し、フォトマスクブランク上における露光用光束の照射位置を移動させ、フォトマスクブランクからの露光用光束の反射光束に基づいてレジスト膜の膜厚を測定し、予め設定された描画パターン及びレジスト膜の膜厚の測定結果に基づいて露光用光束の強度を変調させることを特徴とするものである。
【００１９】
〔構成７〕
本発明に係るフォトマスクの製造方法は、表面部にレジスト膜を有するフォトマスクブランクに描画ヘッドにより露光用光束を照射するとともにフォトマスクブランクに膜厚測定用光束を照射し、フォトマスクブランク上において膜厚測定用光束が露光用光束が照射される位置にこの露光用光束に先行して照射されるようにフォトマスクブランク上における露光用光束及び膜厚測定用光束の照射位置を移動させ、フォトマスクブランクからの膜厚測定用光束の反射光束に基づいてレジスト膜の膜厚を測定し、予め設定された描画パターン及びレジスト膜の膜厚の測定結果に基づいて露光用光束の強度を変調させることを特徴とするものである。
【発明の効果】
【００２０】
本発明に係るレーザ描画装置においては、表面部にレジスト膜が形成された露光対象物に対して描画ヘッドにより照射される露光用光束の強度を変調させる変調手段は、予め設定された描画パターン、及び、露光対象物からの露光用光束の反射光束に基づいてレジスト膜の膜厚を測定する膜厚測定手段による測定結果に基づいて、露光用光束の強度を変調させるので、ダミー基板を用いることなく、露光用光束に基づいてリアルタイムにレジスト膜の膜厚が測定されるとともに、露光用光束により描画が行われる。
【００２１】
したがって、このレーザ描画装置においては、描画前に膜厚測定作業をする必要がなく、描画作業に要する時間を短縮することができる。また、このレーザ描画装置においては、露光用光束を使用してレジスト膜の膜厚を測定するので、別個のレーザ光源を搭載する必要がなく、構造を簡素化することができる。
【００２２】
そして、本発明に係るレーザ描画装置においては、表面部にレジスト膜が形成された露光対象物に対して描画ヘッドにより照射される露光用光束の強度を変調させる変調手段は、予め設定された描画パターン、及び、露光対象物からの膜厚測定用光束の反射光束に基づいてレジスト膜の膜厚を測定する膜厚測定手段による測定結果に基づいて、露光用光束の強度を変調させるので、ダミー基板を用いることなく、露光用光束に基づいてリアルタイムにレジスト膜の膜厚が測定されるとともに、露光用光束により描画が行われる。
【００２３】
したがって、このレーザ描画装置においては、描画前に膜厚測定作業をする必要がなく、描画作業に要する時間を短縮することができる。
【００２４】
また、このレーザ描画装置において、露光対象物上における露光用光束の照射位置と、露光対象物上における膜厚測定用光束の照射位置との間隔を、１０ｍｍ以下とすることにより、露光用光束による描画が行われる個所についての正確なレジスト膜の膜厚測定を行うことができる。
【００２５】
すなわち、本発明は、レジスト膜（感光性樹脂膜）が表面部に形成された露光対象物が大型フォトマスク等のように大型のものである場合においても、生産性が低下することなく、かつ、微小エリアにおけるレジスト膜の膜厚変動に対しても最適な露光量が設定され、微細なパターンを含む描画パターンについてもレジスト膜の膜厚変化に影響されずに良好な描画パターンの描画を行うことができるレーザ描画装置を提供することができるものである。
【発明を実施するための最良の形態】
【００２６】
以下、本発明の実施の形態を図面を参照しながら説明する。
【００２７】
〔レーザ描画装置の第１の実施の形態〕
本発明に係るレーザ描画装置は、フォトマスク等を製造する際にレジスト上に所望のパターンを描画する装置である。
【００２８】
このレーザ描画装置は、図１に示すように、描画ヘッド１と、この描画ヘッド１の出射レンズ２に光束を入射させる光源３と、この光源３から出射された露光用光束Ｒの強度を変調させる変調手段となる変調素子４と、この露光用光束Ｒの光路を偏向させる走査手段となる偏向素子５と、出射レンズ２から出射される光束が照射される露光対象物となる基板１０１を移動操作可能に支持する走査手段となる移動ステージ６とを備えて構成されている。
【００２９】
基板１０１は、フォトマスク等の製造に用いられるフォトマスクブランクであって、表面部にレジスト（感光性樹脂）が塗布されてレジスト膜１０２が形成されており、このレジスト膜１０２に対してレーザビーム等により所望のパターンが描画される。
【００３０】
このレーザ描画装置の描画ヘッド１は、図２に示すように、下方に向けて露光用光束Ｒを出射する出射レンズ２と、この出射レンズを支持する基材部７とを備えている。この描画ヘッド１は、レーザ描画装置において、スライダ８を介して、上昇及び下降が可能に支持される。この描画ヘッド１は、レーザ描画装置の動作時には、露光対象物となる基板１０１の表面に向けて下降され、この表面に接近されて、走査手段により、基板１０１に対して相対的に水平方向に移動されつつ動作する。すなわち、この描画ヘッド１は、基板１０１の表面に対して、極めて狭い一定の空隙を介して対向して水平に移動しながら、この基板１０１の表面の上方より、露光用光束Ｒを照射する。
【００３１】
なお、描画ヘッド１と基板１０１との水平方向への相対的移動は、移動ステージ６により基板１０１を水平方向に移動操作することにより行われるが、スライダ８を支持している移動ステージ９により描画ヘッド１を移動させることによって行うようにしてもよい。
【００３２】
なお、この描画ヘッドは、基板１０１の表面との間の空隙を一定に維持するための手段として、基板１０１に向けて下降されたときに、この基板１０１に向けて空気流を噴射する機構を備えている。この描画ヘッド１においては、基板１０１に向けて噴射される空気流の圧力と自重とが均衡して浮遊することにより、基板１０１との間の空隙が一定に維持される。すなわち、この描画ヘッド１は、レーザ描画装置の動作時には、自重により基板１０１に向けて下降し、かつ、下面部より基板１０１に向けて噴射する空気流の圧力によって浮遊して、動作する。この描画ヘッド１において、基板１０１に向けて噴射する空気流の圧力による基板１０１からの浮遊間隔は、解像力や検査能力の向上のために、１０μｍ乃至数１００μｍ程度と、極めて短い間隔となされる。
【００３３】
光源３としては、例えば、波長４４２ｎｍの光束を発するHe-Caレーザ等を使用することができる。この光源３から発せられた露光用光束Ｒは、図１に示すように、変調素子４に入射され、この変調素子４によって強度変調される。この変調素子４は、変調ドライバ１０によって駆動されることにより、透過する露光用光束Ｒの強度を変調する。
【００３４】
変調ドライバ１０には、データ入力装置１１、データ処理装置１２、メモリ１３及びデータ読出装置１４を経たデータが供給される。データ入力装置１１には、基板１０１上のレジスト膜１０２に対して描画する所定のパターンに対応したデータが入力される。このデータ入力装置１１に入力されたデータは、データ処理装置１２に送られ、描画されるパターンに応じた位置データ（ＸＹ座標データ）及び強度データとして処理される。データ処理装置１２において処理されたデータは、メモリ１３に蓄積され、このメモリ１３よりデータ読出装置１４によって読出されて変調ドライバ１０に送られる。
【００３５】
なお、データ読出装置１４及び変調ドライバ１０は、コントローラ１５によって制御され、クロック発生器１６より出力されるクロックに基づいて動作する。
【００３６】
そして、変調素子４によって強度変調された露光用光束Ｒは、偏向素子５に入射され、この偏向素子５を透過することにより出射方向を偏向される。この偏向素子５は、例えば、音響−光学変換素子であり、走査回路１７によって駆動されることにより、透過する露光用光束Ｒの光路を一定周期で偏向させる。
【００３７】
走査回路１７は、コントローラ１５によって制御されるＸＹコントローラ１８によって制御され、クロック発生器１６より出力されるクロックに基づいて動作する。
【００３８】
偏向素子５によって出射方向を偏向された露光用光束Ｒは、出射レンズ２に入射され、基板１０１上のレジスト膜１０２に集光されて照射される。このように基板１０１上に照射される露光用光束Ｒは、一定周期で偏向されるとともに、基板１０１上に描画されるパターンに応じて強度変調されたものとなっている。
【００３９】
そして、ＸＹコントローラ１８は、サーボ機構１９，２０、２１，２２を介して、移動ステージ６を駆動し、図１中矢印Ｘ及び矢印Ｙで示すように、基板１０１を所定の周期で水平方向に移動操作することにより、この基板１０１と描画ヘッド１とを相対的に移動させる。
【００４０】
本実施の形態で用いられる描画方式は、一般的にラスタスキャン方式と呼ぱれる方式である。ラスタスキャン方式は、図３に示すように、基板１０１上の描画エリア全面を、露光用光束Ｒが走査し、パターン部分に達すると露光用光束Ｒの強度が所定値まで上がり（ＯＮとなり）、非パターン部分においては所定値まで下がる（ＯＦＦとなる）。
【００４１】
描画領域全面を走査するために、露光用光束Ｒの走査は、一定区間（露光用光束ＲのＹ方向走査単位）でＹ方向へ走査され、Ｙ方向ヘの１区間の走査が終了すると、この露光用光束Ｒが走査された領域に隣接する領域が次に露光用光束Ｒが走査される領域となる距離（露光用光束ＲのＸ方向送り単位）だけ露光用光束ＲがＸ方向に送られ、それが繰り返される。その一列の描画が終了すると、次の列に露光用光束Ｒが送られて同様の走査が繰り返され、描画領域全面が走査される。
【００４２】
次の列に露光用光束Ｒが送られる際には、Ｙ方向走査単位同士がわずかなオーバーラップ部分を設けて隣接するように送る方式（シングルパス描画方式）や、多量露光を行うために、所定量重なるようにＹ方向走査単位を配置する方式（マルチパス描画方式）がある。
【００４３】
なお、Ｙ方向の露光用光束Ｒの走査は、露光用光束Ｒの偏向によって行い、Ｘ方向の露光用光束Ｒの移動は、ステージを移動させることによって行うのが一般的である。
【００４４】
このように、変調素子４により強度変調された露光用光束Ｒの基板１０１上の走査と、移動ステージ６による基板１０１の移動とを繰返して行うことにより、基板１０１上には、データ入力装置１１に入力された所定のパターンの描画が行われる。なお、このようにして行われる描画の速度は、例えば、毎分３００ｍｍ２乃至１５００ｍｍ２程度である。
【００４５】
そして、このレーザ描画装置は、露光対象物である基板１０１からの露光用光束Ｒの反射光束に基づいてレジスト膜の膜厚を測定する膜厚測定手段を備えている。すなわち、基板１０１からの露光用光束Ｒの反射光束は、出射レンズ２及び偏向素子５を経て、光束分岐素子２３に至る。この光束分岐素子２３は、例えば、ビームスプリッタである。変調素子４から偏向素子５に至る往路の露光用光束Ｒは、この光束分岐素子２３を透過する。そして、偏向素子５から変調素子４に向かう復路の露光用光束Ｒは、この光束分岐素子２３によって変調素子４に至る光路から分岐され、膜厚測定手段となる膜厚測定回路２４に入射される。この膜厚測定回路２４は、入射する反射光量を検出し、この検出結果に基づいて、レジスト膜１０２の膜厚を算出する。
【００４６】
基板１０１からの露光用光束Ｒの反射光量は、レジスト膜１０２の表面からの反射光とレジスト膜１０２の裏面（すなわち、基板１０１の表面）からの反射光との干渉によって変動する。すなわち、基板１０１からの露光用光束Ｒの反射光量値は、レジスト膜１０２の膜厚の関数となるので、これら反射光量値と膜厚との関係を予め特定しておけば、反射光量の検出結果からレジスト膜１０２の膜厚を知ることができる。
【００４７】
なお、露光用光束Ｒを用いてレジス卜の膜厚測定を行うためには、基板１０１からわずかでも露光用光束Ｒの反射光が発生することが必要である。しかしながら、一方では、レーザ描画装置を行う際には、描画精度上の理由により露光用光束Ｒの反射光が低く抑えられていることが、通常好ましいとされている。したがって、本実施の形態においては、描画精度に悪影響を与えない範囲で検出可能な反射光を得るために、レジス卜の膜厚をコントロールする等の方法により、予め基板１０１からの反射率を調整しておいてもよい。
【００４８】
そして、膜厚測定回路２４において算出されたレジスト膜１０２の膜厚値は、変調ドライバ１０に送られる。この変調ドライバ１０は、レジスト膜１０２の膜厚値に基づいて、変調素子４における変調量を補正する。すなわち、変調素子４は、予め設定された描画パターンと、膜厚測定回路２４による測定結果とに基づいて、露光用光束Ｒの強度を変調させることとなる。
【００４９】
ところで、基板１０１において所定の描画パターンの描画を行う区間においては、露光用光束Ｒの強度が描画パターンに応じて変調されるので、反射光束もこの強度変調に比例して変化する。したがって、この場合には、予め算出された、出射される露光用光束Ｒの変調強度に応じた、反射光の強度と膜厚との関係に基づき、レジス卜膜の膜厚を決定する。
【００５０】
すなわち、このレーザ描画装置においては、図４のフローチャートに示すように、まず、ステップｓｔ１において、基板１０１において所定の膜厚測定区間において、この露光用光束Ｒの反射光束の光量を検出する。この膜厚測定区間は、例えば、１００μｍ程度の区間である。
【００５１】
そして、ステップｓｔ２において、検出された反射光束の光量に基づいて、膜厚測定区間の描画点におけるレジスト膜１０２の膜厚の算出を行い、その平均値を算出して、この算出結果を記憶しておく。
【００５２】
ステップｓｔ３においては、ステップｓｔ２で算出されたレジスト膜１０２の膜厚について、所定の範囲に含まれているかを判別し、所定の範囲に含まれていない値が存在すればステップｓｔ４に進み、所定の範囲に含まれていなければステップｓｔ６に進む。ここで、レジスト膜１０２の膜厚の所定の範囲とは、例えば、指定膜厚の±２．５％乃至±５％程度の範囲である。
【００５３】
ステップｓｔ６では、基板１０１のレジスト膜１０２を不良と判断し、不良であることを示す警告を行う。この警告は、例えば、警告音を発したり、所定の表示を行うことによって行う。
【００５４】
ステップｓｔ４では、ステップｓｔ２で算出されたレジスト膜１０２の膜厚に基づいて、露光用光束Ｒの光量の補正値を決定する。
【００５５】
ステップｓｔ５では、ステップｓｔ４で決定された補正値に基づいて、露光量（ドーズ量：Dose）の補正を行いながら、隣接する膜厚測定区間の描画を行うと同時に、ステップｓｔ１を行う。
【００５６】
このように、このレーザ描画装置においては、描画を行わない膜厚測定区間におけるレジスト膜１０２の膜厚測定と、この膜厚測定の結果に基づいて露光量の補正を行った描画とを繰り返すことにより、順次、所定の描画パターンの描画を行ってゆく。
【００５７】
ラスタスキャン方式においては、上述のように、露光用光束ＲのＹ方向走査単位の走査とＸ方向送り単位の移動とを繰り返しながら行う場合においては、Ｙ方向走査単位に、整数個の膜厚測定区間を含むように設定することが実用上好ましい。シングルパス方式においては、Ｙ方向走査単位におけるオーバーラップ部を除く区間に、整数個の膜厚測定区間を含むように設定することが、さらに好ましい。
【００５８】
この場合、各列における最初のＹ方向走査単位においては、膜厚を測定するのみで露光補正は行わず、次の区間から露光補正を行う。また、Ｙ方向走査単位、または、そのオーバーラップ部を除く区間に、２個以上の膜厚測定区間を含むように設定した場合には、各Ｙ方向走査単位の最初の区間においては、前のＹ方向走査単位の膜厚測定の結果を用いて露光補正を行う。
【００５９】
また、膜厚測定区間のＸ方向の長さについては、露光用光束Ｒのビーム径に相当するＸ方向送り単位と同じにすることが実用上好ましい。なお、Ｙ方向走査単位、または、そのオーバーラップ部を除く区間に、１個の膜厚測定区間を含むように設定した場合においては、２個以上のＸ方向送り単位を膜厚測定区間としてもよい。
【００６０】
上記方法は、隣接した区間の膜厚測定結果を反映させて露光補正を行うものであるが、レジス卜膜は、通常、微視的な粗さで膜厚が変動するのではなく、面内において巨視的な傾向をもって変動するので、充分な効果が得られる。
【００６１】
〔レーザ描画装置の第２の実施の形態〕
そして、本発明に係るレーザ描画装置は、図５に示すように、描画ヘッド１とは別個に、露光対象物となる基板１０１に膜厚測定用光束Ｍを照射する光学ヘッド２５を設けて構成してもよい。
【００６２】
この場合には、このレーザ描画装置は、図６に示すように、描画ヘッド１と、膜厚測定用光束Ｍを照射する光学ヘッド２５とを有し、走査手段となる偏向素子５及び移動ステージ６は、基板１０１上における露光用光束Ｒ及び膜厚測定用光束Ｍの照射位置を移動させることとなる。すなわち、光源３から発せられた露光用光束Ｒは、変調素子４に入射され、この変調素子４によって強度変調される。この変調素子４は、変調ドライバ１０によって駆動されることにより、透過する露光用光束Ｒの強度を変調する。この変調ドライバ１０には、データ入力装置１１、データ処理装置１２、メモリ１３及びデータ読出装置１４を経たデータが供給される。
【００６３】
そして、変調素子４によって強度変調された露光用光束Ｒは、偏向素子５の露光用光束Ｒ用の偏向素子（図示せず）に入射され、この露光用光束Ｒ用偏向素子を透過することにより出射方向を偏向される。この露光用光束Ｒ用偏向素子は、走査回路１７によって駆動されることにより、透過する露光用光束Ｒの光路を一定周期で偏向させる。
【００６４】
そして、光学ヘッド２５から発せられた膜厚測定用光束Ｍは、偏向素子５の膜厚測定用光束Ｍ用の偏向素子（図示せず）に入射され、この膜厚測定用光束Ｍ用偏向素子を透過することにより出射方向を偏向される。この膜厚測定用光束Ｍ用偏向素子は、露光用光束Ｒ用偏向素子と同時に、膜厚測定用光束Ｍと露光用光束Ｒとの間の一定距離を保持しながら偏向させる。
【００６５】
偏向素子５によって出射方向を偏向された露光用光束Ｒ及び膜厚測定用光束Ｍは、出射レンズ２に入射され、基板１０１上のレジスト膜１０２に集光されて照射される。このように基板１０１上に照射される露光用光束Ｒは、一定周期で偏向されるとともに、基板１０１上に描画されるパターンに応じて強度変調されたものとなっている。
【００６６】
そして、ＸＹコントローラ１８は、サーボ機構１９，２０、２１，２２を介して、移動ステージ６を駆動し、図６中矢印Ｘ及び矢印Ｙで示すように、基板１０１を所定の周期で水平方向に移動操作することにより、この基板１０１と描画ヘッド１及び光学ヘッド２５とを相対的に移動させる。
【００６７】
このレーザ描画装置においては、第１の実施の形態と同様にラスタスキャン描画方式を用い、基板１０１上には、例えば、毎分３００ｍｍ２乃至１５００ｍｍ２程度の速度により、データ入力装置１１に入力された所定のパターンの描画が行われる。
【００６８】
そして、このレーザ描画装置は、露光対象物である基板１０１からの膜厚測定用光束Ｍの反射光束に基づいてレジスト膜の膜厚を測定する膜厚測定手段を備えている。すなわち、基板１０１からの膜厚測定用光束Ｍの反射光束は、出射レンズ２及び偏向素子５を経て、膜厚測定手段となる膜厚測定回路２４に入射される。この膜厚測定回路２４は、入射する反射光量を検出し、この検出結果に基づいて、レジスト膜１０２の膜厚を算出する。
【００６９】
基板１０１からの膜厚測定用光束Ｍの反射光量は、レジスト膜１０２の表面からの反射光とレジスト膜１０２の裏面（すなわち、基板１０１の表面）からの反射光との干渉によって変動する。すなわち、基板１０１からの膜厚測定用光束Ｍの反射光量値は、レジスト膜１０２の膜厚の関数となるので、これら反射光量値と膜厚との関係を予め特定しておけば、反射光量の検出結果からレジスト膜１０２の膜厚を知ることができる。
【００７０】
そして、膜厚測定回路２４において算出されたレジスト膜１０２の膜厚値は、変調ドライバ１０に送られる。この変調ドライバ１０は、レジスト膜１０２の膜厚値に基づいて、変調素子４における変調量を補正する。すなわち、変調素子４は、予め設定された描画パターンと、膜厚測定回路２４による測定結果とに基づいて、露光用光束Ｒの強度を変調させることとなる。
【００７１】
このレーザ描画装置においては、膜厚測定用光束Ｍは、基板１０１上において、露光用光束Ｒに先行して走査されるようになっている。すなわち、基板１０１上においては、膜厚測定用光束Ｍが照射された位置に、その後、露光用光束Ｒが照射される。したがって、露光用光束Ｒは、すでに膜厚測定用光束Ｍが照射されてレジスト膜１０２の膜厚が測定された個所に、この測定結果に基づく強度の補正をなされて、照射される。
【００７２】
なお、この膜厚測定用光束Ｍとしては、レジストを感光させないような波長のレーザ高（例えば、波長５００ｎｍ以上）が用いられる。
【００７３】
そして、基板１０１上における露光用光束Ｒの照射位置と、基板１０１上における膜厚測定用光束Ｍの照射位置との間隔は、１０ｍｍ以下とすることが望ましい。これは、膜厚測定用光束Ｍの照射により測定されたレジスト膜１０２の膜厚（または、この膜厚に基づく露光用光束Ｒについての補正値）は、当該測定がなされた個所に露光用光束Ｒが照射されるまでの間、記憶されていなければならないが、露光用光束Ｒ及び膜厚測定用光束Ｍの照射位置の間隔を狭くすることにより、露光用光束Ｒが照射されるまでに記憶しておかなければならないデータ量を少なくすることができるからである。
【００７４】
なお、このレーザ描画装置においては、図５に示すように、膜厚測定用光束Ｍを基板１０１に対して略々４５°の入射角にて照射させ、この膜厚測定用光束Ｍの基板１０１から略々４５°の出射角にて出射される反射光束が、膜厚測定回路２４に対して直接入射されるように構成してもよい。
【００７５】
また、膜厚測定回路２４によるレジスト膜１０２の膜厚の測定は、基板１０１において所定の描画パターンの描画を行わない膜厚測定区間のみにおいて行うようにしてもよい。この場合には、このレーザ描画装置においては、図７のフローチャートに示すように、まず、ステップｓｔ１１において、基板１０１の膜厚測定区間において、膜厚測定用光束Ｍの反射光束の光量を検出する。この膜厚測定区間は、例えば、１０μｍ程度の区間である。
【００７６】
そして、ステップｓｔ１２において、検出された反射光束の光量に基づいて、レジスト膜１０２の膜厚の算出を行い、その平均値を算出して、この算出結果を記憶しておく。
【００７７】
ステップｓｔ１３においては、ステップｓｔ１２で算出されたレジスト膜１０２の膜厚について、所定の範囲に含まれているかを判別し、所定の範囲に含まれていればステップｓｔ１４に進み、所定の範囲に含まれていなければステップｓｔ１６に進む。ここで、レジスト膜１０２の膜厚の所定の範囲とは、例えば、指定膜厚の±２．５％乃至±５％程度の範囲である。
【００７８】
ステップｓｔ１６では、基板１０１のレジスト膜１０２を不良と判断し、不良であることを示す警告を行う。この警告は、例えば、警告音を発したり、所定の表示を行うことによって行う。
【００７９】
ステップｓｔ１４では、ステップｓｔ１２で算出されたレジスト膜１０２の膜厚に基づいて、露光用光束Ｒの光量の補正値を決定する。
【００８０】
ステップｓｔ１５では、ステップｓｔ１４で決定された補正値に基づいて、露光量（ドーズ量：Dose）の補正を行いながら、描画を行うと同時に、この区間において、ステップｓｔ１１を行う。
【００８１】
このように、このレーザ描画装置においては、描画を行わない膜厚測定区間におけるレジスト膜１０２の膜厚測定と、この膜厚測定の結果に基づいて露光量の補正を行った描画とを繰り返すことにより、順次、所定の描画パターンの描画を行ってゆく。
【００８２】
なお、ラスタスキャン方式においては、上述のように、露光用光束ＲのＹ方向走査単位の走査とＸ方向送り単位の移動とを繰返しながら行う場合、Ｙ方向走査単位に、整数個の膜厚測定区間を含むように設定することが実用上好ましく、シングルパス方式の場合は、Ｙ方向走査単位におけるオーバーラップ部を除く区間に、整数個の膜厚測定区間を含むように設定することが、さらに好ましい。
【００８３】
また、膜厚測定区間のＸ方向の長さについては、露光用光束Ｒのビーム径に相当するＸ方向送り単位と同じにすることが、実用上好ましい。なお、Ｙ方向走査単位、または、そのオーバーラップ部を除く区間に、１個の膜厚測定区間を含むように設定した場合は、２個以上のＸ方向送り単位を膜厚測定区間としてもよい。
【００８４】
この方法においては、偏向素子５は、露光用光束Ｒと膜厚測定用光束Ｍとが、それぞれ少なくともＹ方向走査単位を走査するように設定される。
【図面の簡単な説明】
【００８５】
【図１】本発明に係るレーザ描画装置の第１の実施の形態における構成を示すブロック図である。
【図２】前記レーザ描画装置の第１の実施の形態における描画ヘッドの構成を示す斜視図である。
【図３】前記レーザ描画装置における描画方式であるラスタスキャン方式を説明する平面図である。
【図４】前記レーザ描画装置の第１の実施の形態における動作を示すフローチャートである。
【図５】本発明に係るレーザ描画装置の第２の実施の形態における描画ヘッドの構成を示す側面図である。
【図６】前記レーザ描画装置の第２の実施の形態における構成を示すブロック図である。
【図７】前記レーザ描画装置の第２の実施の形態における動作を示すフローチャートである。
【符号の説明】
【００８６】
１  描画ヘッド
２  出射レンズ
３  光源
４  変調素子
５  偏向素子
６  移動ステージ
２４  膜厚測定回路
２５  光学ヘッド
１０１  基板
１０２  レジスト膜
【図１】
2005292271.tif 000003
【図２】
2005292271.tif 000004
【図３】
2005292271.tif 000005
【図４】
2005292271.tif 000006
【図５】
2005292271.tif 000007
【図６】
2005292271.tif 000008
【図７】
2005292271.tif 000009